(57)【要約】      （修正有）【課題】商用の交流電源を適当な電圧の直流電源に変換し、異なる電子製品に電力を供給する充電器を提供する。【解決手段】この節電スイッチ充電器構造はケース１０、電源調整モジュール２０、案内構造３１及びスイッチ構造５０を包含する。該ケースの内部に収容空間１１が形成され、表面には出力孔が開設され、該電源調整モジュールは該収容空間中に設けられ、並びに電源入力ユニット２１と電気的に接続される。外部電力は該電源入力ユニットにより電源調整モジュールに入力されて整流並びに変圧の後に、該電源出力ユニット２２より出力される。該出力孔部分に該案内構造と、該案内構造に可動に接続された当て板３２が設けられ、該当て板が出力孔の防塵カバーとされ、該当て板の移動経路上に該当て板の接近により駆動されるスイッチ構造が設けられ、該当て板が開放される時に自動的に起動され給電し、並びに該当て板が閉じられる時に充電器の電源供給を中断する。【選択図】図１
0003169388.tif 000002
【実用新案登録請求の範囲】
【請求項１】
節電スイッチ充電器構造において、
ケースであって、内部に収容空間が規定され、並びに表面に入力孔と少なくとも一つの出力孔が開設された上記ケースと、
電源調整モジュールであって、該ケースの収容空間中に取り付けられ、交流電源を直流電源に変換する、上記電源調整モジュールと、
電源入力ユニットであって、該入力孔の位置に取り付けられ、且つ上述の電源調整モジュールに電気的に接続されて、外部給電ユニットが提供する電力源を接続するのに用いられる、上記電源入力ユニットと、
少なくとも一つの電源出力ユニットであって、該出力孔位置に取り付けられ、且つ上述の電源調整モジュールに電気的に接続され、整流と変圧を終えた直流電源を出力する、上記少なくとも一つの電源出力ユニットと、
スライドカバー構造であって、上述の出力孔の位置に設けられ、上述の出力孔に対応する案内構造と、上述の案内構造により選択的に移動する少なくとも一つの当て板とを具えた、上記スライドカバー構造と、
スイッチ構造であって、一端が上述の電源調整モジュールに電気的に接続され、別端が上述の当て板の移動の経路に位置し、上述の当て板のスライド位置に合わせて選択的に導通状態或いは未導通状態を形成する、上記スイッチ構造と、
を包含することを特徴とする、節電スイッチ充電器構造。
【請求項２】
請求項１記載の節電スイッチ充電器構造において、上述のスイッチ構造は、一組の、常時不導通の一対の弾性電極片と固定電極片を包含することを特徴とする、節電スイッチ充電器構造。
【請求項３】
請求項１記載の節電スイッチ充電器構造において、上述の案内構造中、さらに上述の当て板をもとの位置に回復させ並びに上述の出力孔を閉じる回復構造が設けられたことを特徴とする、節電スイッチ充電器構造。
【請求項４】
請求項３記載の節電スイッチ充電器構造において、上述の回復構造は、位置決め部品を包含し、該位置決め部品は上述の案内構造中に取り付けられ、該回復構造はまた少なくとも一つの弾性部品を包含し、該弾性部品の一端は上述の位置決め部品に接続され、別端は上述の当て板と接合されることを特徴とする、節電スイッチ充電器構造。
【請求項５】
請求項１記載の節電スイッチ充電器構造において、上述の案内構造は案内片とされ、該案内片の中央に、出力孔に対応する開孔が設けられ、該案内片にさらに案内溝が設けられ、該案内溝に上述の当て板が可動に組み合わされ、並びに該当て板を往復移動させることで、上述の開孔が開閉されることを特徴とする、節電スイッチ充電器構造。
【請求項６】
請求項４記載の節電スイッチ充電器構造において、上述の位置決め部品は、該案内溝の側縁に設けられた位置決め凸塊とされ、該弾性部品は圧縮バネとされ、該圧縮バネが該位置決め凸塊に嵌合されることを特徴とする、節電スイッチ充電器構造。
【請求項７】
請求項１記載の節電スイッチ充電器構造において、上述の電源出力ユニットはＵＳＢソケットとされることを特徴とする、節電スイッチ充電器構造。
【請求項８】
請求項１記載の節電スイッチ充電器構造において、上述の電源入力ユニットは上述のケースに枢設された枢軸プラグとされ、該枢軸プラグは、上述の収容空間に挿入された回転軸端と該ケース外部に突出するプラグ端と、該枢軸プラグに対向するように設置された第１プラグ電極片と第２プラグ電極片であり、該第１プラグ電極片と第２プラグ電極片の一端は、上述のプラグ端より枢軸プラグ外に突出し、該第１プラグ電極片と該第２プラグ電極片の別端は、上述の回転軸端の二つの対応する表面部分に設けられ、及び上述の回転軸端両側に設けられた櫛形電極を具え、該櫛形電極は上述の電源調整モジュールに電気的に接続されることを特徴とする、節電スイッチ充電器構造。
【請求項９】
請求項１記載の節電スイッチ充電器構造において、上述の電源調整モジュールにさらに給電指示ランプが接続されたことを特徴とする、節電スイッチ充電器構造。
【請求項１０】
請求項１記載の節電スイッチ充電器構造において、上述の当て板にさらに押さえ部が設けられ、該押さえ部は上述の当て板より一体に延伸され、上述のスイッチ構造をトリガすることを特徴とする、節電スイッチ充電器構造。
【考案の詳細な説明】
【技術分野】
【０００１】
本考案は一種の節電スイッチ充電器構造に係り、特に商用の交流電源を適当な電圧の直流電源に変換し、異なる電子製品に電力を供給する充電器に関する。
【背景技術】
【０００２】
各種のパーソナルデータ設備の流行により、各種の異なるデータ設備の伝送インタフェースも発生した。たとえば、最もよく使用されているＵＳＢインタフェースがその例である。ＵＳＢインタフェースはその出現以来、その簡単で使用しやすく、電源供給とデータ伝送を同時に行える等の多くの長所により、徐々に現在最も広く運用されている一種の上方伝送インタフェースとなった。少数の、高画質データ伝送を必要とするオーディオビデオ伝送インタフェースを除き、ＵＳＢは、ほぼ全ての種類の情報製品の伝送インタフェースにおいてもみられる。
【０００３】
データ伝送のほか、ＵＳＢインタフェースの使用しやすさ及び電力を同時に供給できる特性により、少なからぬ電子製品がＵＳＢインタフェースをその電源供給のインタフェースとするようになった。このため、各種のＵＳＢソケットも発生した。このようなＵＳＢソケットは直接一般の商用交流電源コンセントに差し込め、並びに商用交流電源を変圧及び電流安定化した後の電力をＵＳＢインタフェースに供給する。それまでの、コンピュータを起動し並びにコンピュータより電力供給を行わねばならぬ状況に較べ、このようなＵＳＢソケットは人々に相当に大きな便利性をもたらした。
【０００４】
しかし、一般のＵＳＢソケットはスイッチ或いは停電措置が設置されておらず、このため、ＵＳＢソケットを商用交流電源コンセントに差し込む時、すなわち、電力供給の動作を実行しない時も、その内部の電流安定化及び変圧回路は小量の電力を消耗し得る。
【０００５】
このほか、伝統的な商用交流電源コンセントに較べ、ＵＳＢソケットの挿入口は比較的開放されており、このため相当容易に灰塵などの異物が堆積し、接触不良を起こしやすい。
【０００６】
これらの欠点のために、人々が使用する上での便利性が大幅に損なわれる。このため、現在の直流充電器に対して改良を行う必要がある。
【考案の概要】
【考案が解決しようとする課題】
【０００７】
本考案の主要な目的は、便利に使用できる節電スイッチ充電器構造を提供することにあり、それは給電スイッチを駆動する防塵カバーを具え、防塵カバーが閉じられる時に電力供給を自動停止し、該防塵カバーが開放される時に電力供給を自動起動する。これにより、電力使用を節約すると共に直流給電プラグを保護する効果を達成する。
【課題を解決するための手段】
【０００８】
上述の目的を達成するため、本考案の節電スイッチ充電器構造は、
ケースであって、内部に収容空間が規定され、並びに表面に入力孔と少なくとも一つの出力孔が開設された上記ケースと、
電源調整モジュールであって、該ケースの収容空間中に取り付けられ、交流電源を直流電源に変換する、上記電源調整モジュールと、
電源入力ユニットであって、該入力孔の位置に取り付けられ、且つ上述の電源調整モジュールに電気的に接続されて、外部給電ユニットが提供する電力源を接続するのに用いられる、上記電源入力ユニットと、
少なくとも一つの電源出力ユニットであって、該出力孔位置に取り付けられ、且つ上述の電源調整モジュールに電気的に接続され、整流と変圧を終えた直流電源を出力する、上記少なくとも一つの電源出力ユニットと、
スライドカバー構造であって、上述の出力孔の位置に設けられ、上述の出力孔に対応する案内構造と、上述の案内構造により選択的に移動する少なくとも一つの当て板とを具えた、上記スライドカバー構造と、
スイッチ構造であって、一端が上述の電源調整モジュールに電気的に接続され、別端が上述の当て板の移動の経路に位置し、上述の当て板のスライド位置に合わせて選択的に導通状態或いは未導通状態を形成する、上記スイッチ構造と、
を包含する。
【０００９】
好ましい実施例において、上述のスイッチ構造は、一組の、常時不導通の一対の弾性電極片と固定電極片を包含する。該案内構造中、さらに上述の当て板をもとの位置に回復させ並びに上述の出力孔を閉じる回復構造が設けられる。
【００１０】
別の好ましい実施例において、上述の回復構造は、位置決め部品を包含し、該位置決め部品は上述の案内構造中に取り付けられ、該回復構造はまた少なくとも一つの弾性部品を包含し、該弾性部品の一端は上述の位置決め部品に接続され、別端は上述の当て板と接合される。
【００１１】
また別の好ましい実施例において、上述の案内構造は案内片とされ、該案内片の中央に、出力孔に対応する開孔が設けられ、該案内片にさらに案内溝が設けられ、該案内溝に上述の当て板が可動に組み合わされ、並びに該当て板を往復移動させることで、上述の開孔が開閉される。
【００１２】
別の好ましい実施例において、上述の位置決め部品は、該案内溝の側縁に設けられた位置決め凸塊とされ、該弾性部品は圧縮バネとされ、該圧縮バネが該位置決め凸塊に嵌合される。上述の電源出力ユニットはＵＳＢソケットとされる。
【００１３】
また別の好ましい実施例において、上述の電源入力ユニットは上述のケースに枢設された枢軸プラグとされ、該枢軸プラグは、上述の収容空間に挿入された回転軸端と該ケース外部に突出するプラグ端と、該枢軸プラグに対向するように設置された第１プラグ電極片と第２プラグ電極片であり、該第１プラグ電極片と第２プラグ電極片の一端は、上述のプラグ端より枢軸プラグ外に突出し、該第１プラグ電極片と該第２プラグ電極片の別端は、上述の回転軸端の二つの対応する表面部分に設けられ、及び上述の回転軸端両側に設けられた櫛形電極を具え、該櫛形電極は上述の電源調整モジュールに電気的に接続される。且つ該電源調整モジュールにさらに給電指示ランプが接続されている。
【００１４】
好ましい実施例において、上述の当て板にさらに押さえ部が設けられ、該押さえ部は上述の当て板より一体に延伸され、上述のスイッチ構造をトリガする。
【考案の効果】
【００１５】
これにより、本考案の特徴は、出力孔部分に、自由に往復移動可能な当て板が設けられて出力孔の防塵カバーとされ、並びに該当て板の移動経路に、当て板の接近によりトリガされるスイッチ構造が設けられ、該当て板が開放される時に自動的に節電スイッチ充電器構造の電力供給を起動する。並びに当て板は出力孔が閉じられる時に節電スイッチ充電器構造の電源供給を中断する。本考案はこれにより節電と同時に灰塵などの異物がＵＳＢソケットに進入するのを防止する効果を有する。
【図面の簡単な説明】
【００１６】
【図１】本考案の節電スイッチ充電器構造の組合せ図である。
【図２】図１中のスライドカバー構造部分の組合せ図である。
【図３】図１中の回復構造部分の組合せ図である。
【図４】図１中の枢軸プラグと電源調整モジュール部分の組合せ図である。
【図５】本考案の第１プラグ電極片と第２プラグ電極片の枢軸プラグ中への設置表示図である。
【図６】本考案の枢軸プラグの回転の表示図である。
【図７】本考案の第１プラグ電極片と第２プラグ電極片及び櫛形電極の接触導通の表示図である。
【図８】本考案の当て板開放とスイッチ構造起動の表示図である。
【図９】データ装置のケーブルで当て板を係止して給電状態を保持した状態表示図である。
【図１０】充電完成時に当て板を自動で閉じて給電停止する状態図である。
【考案を実施するための形態】
【００１７】
本考案の技術内容、構造特徴、達成する目的を詳細に説明するため、以下に実施例を挙げ並びに図面を組み合わせて説明する。
【００１８】
図１を参照されたい。図示されるように、本考案の節電スイッチ充電器構造はケース１０を包含し、該ケース１０の内部に収容空間１１が画定され、並びにケース１０の表面に、少なくとも一つの出力孔１２と一つの入力孔１３が設けられている。
【００１９】
上述の収容空間１１中に、電源調整モジュール２０が取り付けられ、該電源調整モジュール２０は電源入力ユニット２１と電源出力ユニット２２に電気的に接続され、並びに給電指示ランプ２３に接続される。
【００２０】
該電源入力ユニット２１は上述の入力孔１３部分に取り付けられ、並びに商用交流電源に接続され電力を上述の電源調整モジュール２０に入力し、電源調整モジュール２０による整流と変圧により直流電源とした後、上述の電源出力ユニット２２よりその他の電子装置に出力される。上述の電源出力ユニット２２は上述の出力孔１２部分に取り付けられ、並びに出力孔１２を通して上述のケース１０の外部に接続される。
【００２１】
上述の出力孔１２部分にはスライドカバー構造３０が電源調整モジュール２０、該スライドカバー構造３０は上述の出力孔１２に対応する案内構造３１及び少なくとも一つの、該案内構造３１により選択的移動を行う当て板３２を有する。該当て板３２の移動経路にはスイッチ構造５０が設けられている。該スイッチ構造５０の一端は、上述の電源調整モジュール２０に電気的に接続され、並びに別端は上述の当て板３２が移動する時に接触できる経路中に位置し、これにより上述の当て板３２の移動位置に合わせて選択的に導通或いは未導通の状態が切り換えられる。
【００２２】
図１及び図２を参照されたい。図示される好ましい実施例中、上述の電源出力ユニット２２はＵＳＢソケットとされ得て、上述のスイッチ構造５０は一組の、上述の当て板３２の移動経路に置かれた弾性電極片５１と固定電極片５２とされ得るが、これに限定されるわけではない。上述の弾性電極片５１と固定電極片５２は相互に接近するが接触導通せず、上述の当て板３２が移動する時に、上述の弾性電極片５１を押圧することにより、弾性電極片５１を湾曲させて固定電極片５２と接触させることで、導通し、全体の電源調整モジュール２０が導通し、電力供給される。
【００２３】
且つ上述の当て板３２により上述の弾性電極片５１を押圧しやすいように、当て板３２の一側に押さえ部３２１が延伸形成され、該押さえ部３２１は当て板３２より当て板３２の移動経路の方向に垂直に延伸されて、上述の弾性電極片５１を押さえる面積が増加され、これにより当て板３２が容易に上述の弾性電極片５１を駆動して上述の固定電極片５２に接触させ導通させられる。
【００２４】
しかし、この実施例は説明のために用いられ、制限を加えるためのものではない。すなわち、上述のスイッチ構造５０は実際の必要に応じて接近スイッチ、リードスイッチ、或いはリミットスイッチのいずれかのスイッチとされ得る。上述の押さえ部３２１もまた、異なるスイッチの感応方式により位置決めブロック、磁性感応部品、のいずれかの一種の装置とされ得る。
【００２５】
さらに、図１を再び参照されたい。図示されるように、上述の案内構造３１にさらに回復構造６０が取り付けられ得る。該回復構造６０は上述の当て板３２に接続され、並びに上述の当て板３２に、閉じた位置に向けて移動し回復する力を提供する。上述の回復構造６０中には少なくとも一つの位置決め部品６１と少なくとも一つの弾性部品６２を包含する。上述の位置決め部品６１は上述の案内構造３１中に取り付けられる。且つ上述の弾性部品６２の一端は上述の位置決め部品６１部分に接続され、別端は上述の当て板３２に接合される。
【００２６】
図３を参照されたい。図示される好ましい実施例中、上述の案内構造３１は案内片３１１とされるが、これに限定されるわけではない。上述の案内片３１１は上述の出力孔１２と電源出力ユニット２２の間に取り付けられ、上述の案内片３１１中、上述の出力孔１２に対応する部分に開孔３１２が設けられ、並びに該開孔３１２の一側辺に一組の、相互に平行な案内溝３１３が設けられている。該案内溝３１３に上述の当て板３２が嵌合され、該当て板３２が案内溝３１３に沿って往復移動して上述の出力孔１２を開く或いは閉じる。
【００２７】
この実施例中、上述の位置決め部品６１は上述の案内溝３１３の側面部分に設けられた位置決め凸塊６３とされ、且つ上述の弾性部品６２は圧縮バネ６４とされ得る。上述の圧縮バネ６４は上述の案内溝３１３中に収容され、並びに上述の圧縮バネ６４の一端は上述の位置決め凸塊６３に嵌合され、別端は上述の当て板３２に当接する。
【００２８】
すなわち、上述の当て板３２が上述の位置決め凸塊６３の方向に向けてスライドして出力孔１２を開放する時、上述の圧縮バネ６４が力を受けて変形し、並びに弾性エネルギーを保存し、上述の当て板３２を押動して位置決め凸塊６３の方向にスライドさせる外力が喪失した後、上述の当て板３２が圧縮バネ６４の作用を受けて閉じる位置に自動的に戻る。
【００２９】
図１、図４及び図５を参照されたい。この図に示される実施例中、上述の電源入力ユニット２１は上述のケース１０に枢設された枢軸プラグ７０及び二つの櫛形電極７１で構成された回転プラグを包含する。上述の枢軸プラグ７０は上述の収容空間１１を貫通し円柱状を呈する回転軸端７２と上述のケース１０外部に突出するプラグ端７３、上述の枢軸プラグ７０には対向するように取り付けられた第１プラグ電極片７４と第２プラグ電極片７５を包含する。
【００３０】
該第１プラグ電極片７４と第２プラグ電極片７５の一端は上述のプラグ端７３より枢軸プラグ７０外に突出し、且つ別の一端は上述の回転軸端７２の二つの対向部分より枢軸プラグ７０を突き出て、第１プラグ電極片７４と第２プラグ電極片７５が相互に１８０度角隔たる。上述の櫛形電極７１はそれぞれ上述の回転軸端７２の両側に設けられ、並びに上述の電源調整モジュール２０と電気的に接続される。
【００３１】
すなわち、使用者は上述の枢軸プラグ７０を回転させて第１プラグ電極片７４と第２プラグ電極片７５及び上述の櫛形電極７１の間の接触状態を調整することで、上述の電源調整モジュール２０に入力される電流供給を制御できる。
【００３２】
図６から図１０を参照されたい。図示されるように、本考案の節電スイッチ充電器構造の使用時のステップは以下のとおりである。
【００３３】
まず、回転プラグを回転して出し、回転プラグの第１プラグ電極片７４と第２プラグ電極片７５をそれぞれ櫛形電極７１と接触させて導通させる。さらに、回転プラグを商用交流電源コンセントに挿入し、電力の電源調整モジュール２０への導入に待機する。
【００３４】
使用者が手の上のデータ設備に充電する時は、ただ当て板３２を横滑りさせ、出力孔１２の導通を保持させ、続いて上述のデータ設備のＵＳＢケーブルを上述の出力孔１２に挿入した後、充電を行える。充電時、上述の当て板３２が上述のＵＳＢケーブルの係止を受けるために、開放された状態を保持し、並びにこれによりスイッチ構造５０が導通を維持する。
【００３５】
この導通を保持した状態は、上述のデータ装置への充電完成まで持続する。データ設備の充電完成後、使用者がＵＳＢケーブルを上述の電源入力ユニット２２より抜き取れば、もともとＵＳＢケーブルにより係止されていた当て板３２が上述の圧縮バネ６４の作用力を受けて迅速に閉じた位置に回復し、並びにスイッチ構造５０が切断状態に回復する。これにより、電力を節約し充電器を保護して灰塵、異物の侵入を防止する効果を達成する。
【００３６】
総合すると、本考案は出力孔部分に一つの、自由に往復移動する当て板を設置し、当て板の移動経路上にスイッチ構造を設けることで、当て板開放時に同時に上述のスイッチ構造を起動して節電スイッチ充電器構造の電力供給を起動し、当て板を閉じた時に自動的に節電スイッチ充電器構造への電源供給を停止する。節電と同時に灰塵のＵＳＢソケットへの侵入を防止する効果を達成する。
【００３７】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００３８】
１０  ケース              ３１１  案内片          ６２  弾性部品
１１  収容空間            ３１２  開孔            ６３  位置決め凸塊
１２  出力孔              ３１３  案内溝          ６４  圧縮バネ
１３  入力孔              ３２  当て板            ７０  枢軸プラグ
２０  電源調整モジュール  ３２１  押さえ部        ７１  櫛形電極
２１  電源入力ユニット    ５０  スイッチ構造      ７２  回転軸端
２２  電源出力ユニット    ５１  弾性電極片        ７３  プラグ端
２３  給電指示ランプ      ５２  固定電極片        ７４  第１プラグ電極片
３１  案内構造            ６１  位置決め部品      ７５  第２プラグ電極片
【図１】
0003169388.tif 000003
【図２】
0003169388.tif 000004
【図３】
0003169388.tif 000005
【図４】
0003169388.tif 000006
【図５】
0003169388.tif 000007
【図６】
0003169388.tif 000008
【図７】
0003169388.tif 000009
【図８】
0003169388.tif 000010
【図９】
0003169388.tif 000011
【図１０】
0003169388.tif 000012